(57)【要約】  フィルタ組立体は、ハウジングと、近位側エンドキャップと、ナットプレートを有する。ハウジングは、長手方向軸線を規定し、長手方向軸線を囲む内面を有する。近位側エンドキャップは、ハウジング内に配置され、中央開口部を形成する。ナットプレートは、ハウジング内に配置され、フランジ部材と外壁とを有する。フランジ部材は、中央開口部内に配置される。外壁は、長手方向軸線のまわりに配置された複数の突起を有する。複数の突起の少なくとも１つが、ハウジングに対するナットプレートの回転を防ぐように、内面と係合している。【選択図】図１B
2020521629.tif 000002
【特許請求の範囲】
【請求項１】
フィルタ組立体であって、
長手方向軸線を規定し前記長手方向軸線を囲む内面を有するハウジングと、前記ハウジング内に配置され中央開口部を形成する近位側エンドキャップと、前記ハウジング内に配置されフランジ部分と外壁を備えるナットプレートであって、前記フランジ部分は前記中央開口部内に配置され、前記外壁は前記長手方向軸線のまわりに配置された複数の突起を備え、前記複数の突起の少なくとも１つは、前記ハウジングに対する前記ナットプレートの回転を防ぐように内面と係合されているナットプレートとを備えている、
ことを特徴とするフィルタ組立体。
【請求項２】
前記複数の突起の少なくとも１つが、前記ナットプレートの前記外壁から半径方向に延びている、
請求項１に記載のフィルタ組立体。
【請求項３】
前記複数の突起の少なくとも１つが、前記ナットプレートの下端から軸線方向に延びている、
請求項２に記載のフィルタ組立体。
【請求項４】
前記複数の突起の少なくとも１つが、凸状表面を有する、
請求項３に記載のフィルタ組立体。
【請求項５】
前記凸状表面が球体の一部を形成する、
請求項４に記載のフィルタ組立体。
【請求項６】
前記内面が、第１方向に延びる近位範囲と、前記第１方向を横切る第２方向に延びる遠位範囲とを備える近位部分を有し、前記複数の突起が前記近位範囲と前記遠位範囲と係合する、
請求項１に記載のフィルタ組立体。
【請求項７】
前記近位範囲が半径方向に延び、かつ前記遠位範囲が軸線方向に延びている、
請求項６に記載のフィルタ組立体。
【請求項８】
前記外壁と密封係合するシール部材を更に備えている、
請求項１に記載のフィルタ組立体。
【請求項９】
前記ナットプレートのフランジ部分のまわりに配置されたシール部材を更に備え、前記近位側エンドキャップが、前記長手方向軸線を横切るように延びるリップ部分と、前記リップ部分と密封係合する前記シール部材とを有している、
請求項１に記載のフィルタ組立体。
【請求項１０】
フィルタ組立体を製造する方法であって、
長手方向軸線を規定し内面を有するハウジングを提供する工程と、フィルタエレメントを前記ハウジング内へ挿入する工程と、ナットプレートを、前記ハウジング内へ挿入する工程であって、前記ナットプレートは、前記長手方向軸線のまわりに配置された複数の突起を備えている工程と、前記ハウジングに対する前記長手方向軸線を中心としたナットプレートの回転を防ぐように、複数の突起の少なくとも１つを前記内面と係合させる工程と、前記ハウジング内にナットプレートを固着させるように、前記ハウジングの内面をナットプレートの端と係合させる工程と、
を備えていることを特徴とする方法。
【請求項１１】
前記ハウジングの内面を前記ナットプレートの端と係合させる工程が、前記内面の径方向に延びる部分を前記複数の突起と係合させる工程を有する、
請求項１０に記載の方法。
【請求項１２】
前記複数の突起の少なくとも１つを前記内面と係合させる工程が、前記内面の軸線方向へ延びる部分を前記複数の突起と係合させる工程を有する、
請求項１１に記載の方法。
【請求項１３】
更に、近位側エンドキャップを、前記ハウジング内に挿入する工程を備え、前記近位側エンドキャップが、フィルタエレメントに係合している上方表面と前記ナットプレートと対向する下方表面とを有し、前記上方表面と前記下方表面とを貫通している中央開口部を形成している、
請求項１１に記載の方法。
【請求項１４】
前記ナットプレートが環状フランジを有し、前記ハウジング内へ前記ナットプレートを挿入する工程が、前記環状フランジを前記ナットプレートの前記中央開口部に挿入する工程を有している、
請求項１３に記載の方法。
【請求項１５】
前記複数の突起の少なくとも１つが凸状表面を有している、
請求項１１に記載の方法。
【請求項１６】
前記凸状表面が球体の一部を形成している、
請求項１５に記載の方法。
【請求項１７】
フィルタ組立体であって、
長手方向軸線を規定し前記長手方向軸線を囲む内面を有しているハウジングと、前記ハウジング内に配置され、下端と上端および上端と下端間に延びる外壁とを備えるナットプレートであって、前記下端と前記外壁とは、前記内面を係合するように構成された複数の突起を有しているナットプレートと、
を備えていることを特徴とするフィルタ組立体。
【請求項１８】
前記複数の突起の少なくとも１つが前記ナットプレートの外壁から半径方向に延びている、
請求項１７に記載のフィルタ組立体。
【請求項１９】
前記複数の突起の少なくとも１つが前記ナットプレートの下端から軸線方向に延びている、
請求項１８に記載のフィルタ組立体。
【請求項２０】
前記複数の突起の少なくとも１つが凸状表面を有している、
請求項１９に記載のフィルタ組立体。
【請求項２１】
前記凸状表面が球体の一部を形成している、
請求項２０に記載のフィルタ組立体。
【発明の詳細な説明】
【技術分野】
【０００１】
本開示は、フィルタ組立体、詳細には、Ｌシーム連結を使って一緒に固定されたナットプレートとハウジングとを有するスピンオンフィルタ組立体に関する。
【背景技術】
【０００２】
本節では、本開示に関する背景情報を提供するが、これらは必ずしも先行技術ではない。
【０００３】
スピンオンフィルタは、燃料タンクまたは潤滑剤サーバと、エンジン及び／または他の部品との間の、燃料流または潤滑剤流中の微粒子を取り除くために、流体運搬装置及び潤滑装置に使用されている。スピンオンフィルタは、一般に、流体回路の取付アダプターに取り付けられ、流体を受け入れて、そこから流体を戻す。いくつかの実施形態では、スピンオンフィルタは、開端部及び閉端部を備える鉄鋼製キャニスターハウジングを備える。フィルタエレメントは、ハウジング内に配置されている。開端部では、連結部が、スピンオンフィルタを取付アダプターにスピンオン状態で連結している。連結部は、ハウジングに対する軸力及び径方向力を連結部に吸収させるため、ハウジングに対し固定されている。公知のスピンオンフィルタがそれらの用途にふさわしいと証明されてきたが、関連技術の発展の継続的なニーズが存在している。
【発明の概要】
【課題を解決するための手段】
【０００４】
本節では、本開示の一般的な概要を説明するが、開示の全範囲または全特徴の包括的な開示ではない。
【０００５】
一形態では、本開示は、流体フィルタ組立体を提供する。流体フィルタ組立体は、ハウジングと、近位側エンドキャップと、ナットプレートとを備える。ハウジングは、長手方向軸線を規定し長手方向軸線を囲む内面を有する。近位側エンドキャップは、ハウジング内に配置され、中央開口部を形成する。ナットプレートは、ハウジング内に配置され、フランジ部分と外壁とを有する。フランジ部分は中央開口内に配置される。外壁は、長手方向軸線の周囲に配置された複数の突起を備える。その複数の突起の少なくとも１つは、ハウジングに対するナットプレートの回転を防ぐように、内面に係合している。
【０００６】
この形態の実施形態は、次に述べる１つまたは２つ以上の特徴を有する。いくつかの実施形態では、複数の突起の少なくとも１つが、ナットプレートの外壁から半径方向に延びている。その複数の突起の少なくとも１つが、ナットプレートの下端から軸線方向に延びている。その複数の突起の少なくとも１つが、凹状表面を有している。凹状表面は、球体の一部を形成している。
【０００７】
いくつかの実施形態では、内面は、第１方向に延びる近位側範囲を備える近位部分と、第１方向を横切る第２方向に延びる遠位側範囲を備える遠位部分とを有している。複数の突起は、近位側範囲と遠位側範囲に係合している。近位側範囲は半径方向に延び、遠位側範囲は軸線方向に延びている。
【０００８】
いくつかの実施形態では、流体フィルタ組立体は、外壁を密封係合するシール部材を備えている。
【０００９】
いくつかの実施形態では、流体フィルタ組立体は、ナットプレートのフランジ部分のまわりに配置されたシール部材を備えている。近位側エンドキャップは、長手方向軸線を横切る方向に延びるリップ部分を有している。シール部材は、リップ部分と密封係合する。
【００１０】
他の形態によると、本開示は、流体フィルタ組立体の製造方法を提供している。その方法は、長手方向軸線を規定し内面を有するハウジングを提供する工程を有している。また、その方法は、フィルタエレメントをハウジング内へ挿入する工程を有している。その方法は、ナットプレートをハウジング内へ挿入する工程を更に有している。ナットプレートは、長手方向軸線を囲むように配置された複数の突起を有する。また、その方法は、ハウジングに対するナットプレートの長手方向軸線を中心とした回転を防ぐように、少なくとも１つの複数の突起を内面に係合させる工程を有している。その方法は、更に、ハウジング内のナットプレートを固定するように、ハウジングの内面をナットプレートの端に係合させる工程を有している。
【発明の効果】
【００１１】
この形態の実施形態は、１つまたは２つ以上の次に述べる特徴を有している。いくつかの実施形態では、その方法は、内面の半径方向へ延びる部分を複数の突起と係合させる工程を有する、ハウジングの内面をナットプレートの端と係合させる工程を有している。いくつかの実施形態では、複数の突起の少なくとも１つを内面と係合させる工程は、内面の軸線方向に延びる部分を複数の突起と係合させる工程を有している。
【００１２】
いくつかの実施形態では、その方法は、近位側エンドキャップをハウジング内に挿入する工程を有している。近位側エンドキャップは、フィルタエレメントと係合した上方表面と、ナットプレートに面した下方表面を有する。近位側エンドキャップは、上方表面と下方表面を貫通する中央開口部を形成する。
【００１３】
いくつかの実施形態では、ナットプレートは、環状フランジを有する。ナットプレートをハウジング内へ挿入する工程は、環状フランジをナットプレートの中央開口内へ挿入する工程を有する。
【００１４】
いくつかの実施形態では、複数の突起の少なくとも１つが、凸状表面を有している。凸状表面は、球体の一部を形成している。
【００１５】
更にもう１つの形態によれば、本開示は、フィルタ組立体を提供する。フィルタ組立体は、ハウジングとナットプレートとを有している。ハウジングは、長手方向軸線を規定し長手方向軸線を囲む内面を有している。ナットプレートは、ハウジング内に配置され、下端と、上端と、上端と下端の間に延びる外壁とを形成している。下端および外壁は、内面を係合するように構成された複数の突起を備える。
【００１６】
いくつかの実施形態では、複数の突起の少なくとも１つが、ナットプレートの外壁から半径方向に延びている。その複数の突起の少なくとも１つが、ナットプレートの下端から軸線方向に延びている。その複数の突起の少なくとも１つが、凸状表面を有している。いくつかの実施形態では、凸状表面は、球体の一部を形成している。
【００１７】
本開示の１つまたは２つ以上の実施形態の詳細は、添付図面及び以下の記載で説明される。他の、形態と特徴と利点とは、説明と、図と、請求項とから明白になる。
【図面の簡単な説明】
【００１８】
【図１Ａ】本開示の原理によるフィルタ組立体の断面を表す図である。
【図１Ｂ】図１Ａのフィルタ組立体の部分の断面図である。
【図２】図１のフィルタ組立体の分解図である。
【図３】組み立て中の図１のフィルタ組立体の断面図である。
【発明を実施するための形態】
【００１９】
以下、添付図面を参照して、構成例をより詳細に説明する。例示の構成は、この開示が完全になり、かつ、当業者に開示範囲が十分に伝達できるようにされている。本開示の構成の完全な理解を提供するために、特定の要素、デバイス、方法の例のような特定の詳細事項が説明されている。特定の詳細事項が採用される必要がないこと、例示の構成が多くの他の形態で実施できること、かつ、特定の詳細事項及び例示の構成が、本開示の範囲を限定するように解されるべきでないことは、当事者に理解される。
【００２０】
図１Ａから図３を参照すると、フィルタ組立体１００が示されている。いくつかの実施形態では、フィルタ組立体１００は、それを通る燃料の流れをろ過するために使用される。しかしながら、本開示の範囲内で、フィルタ組立体１００を、他の流体の流れをろ過するために使用してもよい。
【００２１】
フィルタ組立体１００は、ハウジング１０２と、フィルタエレメント１０４と、近位側エンドキャップ１０６と、遠位側エンドキャップ１０８と、ナットプレート１１０と、１つもしくは２つ以上のシール部材１１２−１、１１２−２、…１１２−ｎと、付勢部材１１３とを備えている。ハウジング１０２は、長手方向軸線Ａ１を規定する略円筒形の構造体を形成する。ハウジング１０２は、ハウジング１０２の近位端１１６から遠位端１０８まで延びる長手方向軸線Ａ１の少なくとも一部を囲み、かつこれに沿って（例えば、平行に）延びる内面１１４を備えている。内面１１４は、近位端１１６から延びる近位部分１１４ａと、遠位端１１８から延びる遠位部分１１４ｂと、近位部分１１４ａから遠位部分１１４ｂに向かって延びる中間点１１４ｃとを含む。近位部分１１４ａと遠位部分１１４ｂは、それぞれ、長手方向軸線Ａ１に沿った（例えば、Ａ１と平行）円形状の略円筒形を有している。いくつかの実施形態では、近位端１１６を開放し、遠位端１１８が閉ざされている。この点に関し、少なくとも、内面１１４の遠位部分１１４ｂは、半径方向内方に向かって延びている。下記により詳述するように、組立てられた構成においては、ナットプレート１１０及び／または、近位側エンドキャップ１０６のハウジング１０２に対する動きを抑止するように、近位部分１１４ａは、ナットプレート１１０と係合している。
【００２２】
ハウジング１０２の中間部分１１４ｃは、長手方向軸線Ａ１を横切る方向に、かつ、軸線A１のまわりに延びている。例えば、いくつかの実施形態では、中間部分１１４ｃは、遠位部分１１４ｂから外方に向けて（長手方向軸線Ａ１から離れる方向に）延び、近位部分１１４ａから内方に向けて（長手方向軸線Ａ１に向かう方向に）延びている。いくつかの実施形態では、中間部分１１４ｃは、長手方向軸線Ａ１に沿い、かつ軸線Ａ１のまわりに、円錐台形を形成している。その点について、中間部分１１４ｃは、近位部１１４ａから遠位部１１４ｂに延びる増大する直径Ｄｃを有し、近位部分１１４ａは、遠位部分１１４ｂで規定された直径Ｄｂより大きな直径Ｄａを規定している。
【００２３】
フィルタエレメント１０４は、有孔管１２４と有孔管１２４の周囲に巻かれたろ材１２６を備えている。ろ材１２６は、近位端１２８と遠位端１３０を備えている。いくつかの実施形態では、ろ材１２６は、近位端１２８から遠位端１３０に延びる略円筒形の構造物を形成している。組み立てられた構造において、フィルタエレメント１０４は、フィルタエレメント１０４が内面１１４を囲むように、ハウジング１０２内に配置され、ろ材１２６の遠位端１３０は、ハウジング１０２の遠位端１１８に、近接に配置されている。有孔管１２４は、長手方向軸線Ａ１に沿って延びる流路１２２を形成している。
【００２４】
図１と図２を参照すると、近位側エンドキャップ１０６は、外壁部分２０２を有するプレートと、外壁部分２０２から延びる座部分２０４と、座部分２０４から延びるリップ部分２０６とを形成している。外壁部分２０２は、長手方向軸線Ａ１に沿い、かつ軸線Ａ１のまわりに延びている。例えば、いくつかの実施形態では、外壁部分２０２は、長手方向軸線Ａ１にほぼ平行な方向に軸線Ａ１のまわりに延びている。座部分２０４は、長手方向軸線Ａ１に向って、かつ軸線Ａ１のまわりに延びている。例えば、いくつかの実施形態では、座部分２０４は、長手方向軸線Ａ１のまわりに、軸線Ａ１にほぼ直交する方向に延びている。リップ部分２０６は、座部分２０４を横断し、かつ長手方向軸線Ａ１を横切る方向に延びている。例えば、いくつかの実施形態では、リップ部分２０６は、長手方向軸線Ａ１のまわりに延びる弧状の輪部を形成している。
【００２５】
外壁部分２０２と、座部分２０４と、リップ部分２０６とが一体となって、近位側エンドキャップ１０６の上方（図１を基準として）表面２０８と、近位側エンドキャップの下方（図１を基準として）表面２１０とを構成している。上方表面２０８は、リップ部分２０６に隣接し長手方向軸線Ａ１のまわりに延びる凸状の輪部を形成する。下方表面２１０は、上方表面２０８の反対側に位置し、かつ、リップ部分２０６に隣接し長手方向軸線Ａ１のまわりに延びる凹状輪部を形成する。更に、下方表面２１０は、リップ部分２０６に近傍の軸線Ａ１方向に延びる深さＴ１を有している。この点について、深さＴ１は、座部分２０４からリップ部分２０６まで延びている。
【００２６】
更に、近位側エンドキャップ１０６は、中央開口部２２２と複数の流体通路（図示せず）を形成する。中央開口部２２２は、近位側エンドキャップ１０６の上方および下方表面２０８、２１０を貫通している。いくつかの実施形態では、中央開口部２２２は、近位側エンドキャップ１０６のリップ部分２０６によって形成されている。流体通路は、近位側エンドキャップ１０６の座部分２０４に隣接した、上方および下方表面２０８、２１０を貫通している。いくつかの実施形態では、流体通路は、近位側エンドキャップ１０６の円周のまわりに略等間隔で配置されている。
【００２７】
ナットプレート１１０は、上端３０２と、下端３０４と、外壁３０６とを有している。上端３０２は、環状フランジ３０８と、移行部分３１０とを有している。環状フランジ３０８は、上端３０２から長手方向軸線Ａ１とほぼ平行な方向に延びる。移行部分３１０は、環状フランジ３０８から外壁３０６に向かって延びる。この点について、移行部分３１０は、長手方向軸線Ａ１を横切る方向に延びている。いくつかの実施形態では、移行部分３１０は、長手方向軸線Ａ１を囲うように延びる円錐台状輪部を形成している。
【００２８】
ナットプレート１１０の下端３０４は、上端３０６の反対側に位置し、内側フランジ３１２と、外側フランジ３１４とを有している。内側フランジ３１２は、下端３０４から、長手方向軸線Ａ１とほぼ平行、かつ軸線Ａ１を囲む方向に延びている。外側フランジ３１４は、下端３０４から、長手方向軸線Ａ１とほぼ平行、かつ軸線Ａ１を囲む方向に延びている。いくつかの実施形態では、内側フランジ３１２は、外側フランジ３１４のまわりに同心状に配置され、下端３０４と、内側フランジ３１２と、外側フランジ３１４とが一体となって、流路３１６を構成している。流路３１６は、長手方向軸線Ａ１を囲んで延びる長方形の断面を形成している。下端３０４の外側部分３０４ａは、外側フランジ３１４から、外壁３０６に向かって伸びている。いくつかの実施形態では、外側部分３０４ａは、外壁３０６に対しほぼ直交する方向、及び／または、長手方向軸線Ａ１にほぼ直交する方向に延びる。
【００２９】
ナットプレート１１０の外壁３０６は、上端３０２から下端３０４に向かって、長手方向軸線Ａ１のまわりに延びる。いくつかの実施形態では、外壁３０６は、環状流路３２０と係止装置３２２とを有している。  流路３２０は、外壁３０２内に形成され、かつ長手方向軸線Ａ１をまわりに延びる。外壁３０６の下部３０６ａは、流路３２０からナットプレート１１０の下端３０４に向かって延びている。いくつかの実施形態では、下部３０６ａは、下壁３０４の外側部分３０４ａとほぼ直交する方向、及び／または、長手方向軸線Ａ１に対し、ほぼ直交する方向に延びている。
【００３０】
係止装置３２２は、長手方向軸線Ａ１のまわりに配置された複数の突起３２４−１、３２４−２、…、３２４−ｎを備えている。突起３２４−１、３２４−２、…、３２４−ｎは、長手方向軸線Ａ１のまわりに、均一（例えば、等間隔）に配置される。いくつかの実施形態では、係止装置３２２は、長手方向軸線Ａ１のまわりに配置された１２個の突起３２４−１、３２４−２、…、３２４−ｎを有している。
【００３１】
各突起３２４−１、３２４−２、…、３２４−ｎは、（ｉ）ナットプレート１１０の下端３０４（例えば、下端３０４の外側部分３０４ａ）から軸線方向に、かつ、（ii）ナットプレート１１０の外壁３０６の下部３０６ａから半径方向に、延びる。いくつかの実施形態では、１つまたは２つ以上の突起３２４−１、３２４−２、…、３２４−ｎは、凸状表面３２６を有している。例えば、凸状表面３２６は、球体の一部で構成される。他の実施形態では、１つまたは２つ以上の突起３２４−１、３２４−２、…、３２４−ｎは、複数の表面を有し、突起３２４−１、３２４−２、…、３２４−ｎが、ナットプレート１１０の下端３０４から軸線方向に、かつ、ナットプレート１１０の外壁３０６の下部３０６ａから半径方向に向かって延びる多角形（例えば、立方形の一部）を形成している。
【００３２】
図１Ａおよび図１Ｂを参照すると、ナットプレート１１０は、中央通路３３０と、ナットプレート１１０を貫通する１つまたは２つ以上の周辺通路３３２を、更に有している。例えば、中央通路３３０と、１つまたは２つ以上の周辺通路３３２は、上壁３０２から下壁３０４に向かって延びている。この点について、上壁３０２は、中央通路３３０と流体連通している入口開口部３３４を有し、下壁３０４は、中央通路３３０と流体連通している入口開口部３３５を有している。いくつかの実施形態では、中央通路３３０は、少なくとも部分的には、ねじ山付内面３３６によって構成されている。同様に、上壁３０２は、１つまたは２つ以上の周辺通路３３２に流体連通している１つまたは２つ以上の周辺入口開口部３３８を有し、下壁３０４は、１つまたは２つ以上の周辺通路３３２に流体連通している１つまたは２つ以上の周辺入口開口部（図示せず）を有している。いくつかの実施形態では、中央通路３３０は、少なくとも部分的に、長手方向軸線Ａ１のまわりに同心状に配置されたねじ山付内面３３６で構成されている。周辺入口開口部３３８、及び／または周辺通路３３２は、中央通路３３０のまわりに同心状に配置されている。
【００３３】
図１Ａから図３を参照すると、シール部材１１２−１、１１２−２、…１１２−ｎは、第１シール部材１１２−１と、第２シール部材１１２−２と、第３シール部材１１２−３とを有している。第１、第２、第３シール部材である１１２−１、１１２−２、１１２−３のそれぞれは、環状構造物を形成する。この点について、いくつかの実施形態では、第１、第２、第３シール部材である１１２−１、１１２−２、１１２−３のそれぞれは、Ｏリングシールを形成している。第１シール部材１１２−１は、軸線方向に延びる厚さＴ２を形成する。いくつかの実施形態では、厚さＴ２は、近位側エンドキャップ１０６のリップ部分２０６の軸線方向に延びる深さＴ１より大きい。
【００３４】
組み立てられた構造において、第１シール部材１１２−１は、ナットプレート１１０の環状フランジ３０８のまわりに、密封係合するように配置されている。第２シール部材１１２−２は、第２シール部材１１２−２が、ナットプレート１１０の外壁端３０６と密閉係合されるように、ナットプレート１１０の流路３２０内に配置されている。第３シール部材１１２−３は、第３シール部材１１２−３がナットプレート１１０の下端３０４と密閉係合するように、ナットプレート１１０の流路３１６内に配置されている。
【００３５】
引き続き、図１Ａから図３を参照すると、フィルタ組立体１１０を組み立てる方法は、ろ材１２６の一部または遠位側エンドキャップ１０８と、ハウジング１０２の内面１１４を係合するように、ハウジング１０２内のフィルタエレメント１０４を配置する工程を有する。近位側エンドキャップ１０６とナットプレート１１０は、ハウジング１０２内に設置され、近位側エンドキャップ１０６は、ろ材１２６の遠位端１２８と係合している。特に、ろ材１２６の遠位端１２８、及び／または穿孔された管１２４は、近位側エンドキャップ１０６の遠位端２０４と係合し、ろ材１２６の遠位端１３０、及び／または穿孔された管１２４は、遠位側のエンドキャップ１０８と係合している。
【００３６】
ナットプレート１１０は、ハウジング１０２内に設置され、環状フランジ３０８が、近位側エンドキャップ１０６の中央開口部２２２内に配置されている。この点について、第１シール部材１１２−１は、近位側エンドキャップ１０６に密封係合している。例えば、第１シール部材１１２−１は、近位側エンドキャップ１０６のリップ部分２０６に、密封係合している。
【００３７】
ナットプレート１１０の上端３０２と、ナットプレート１１０の外壁３０６の少なくも一方は、内面１１４の中間部分１１４ｃと係合している。いくつかの実施形態では、係止装置３２２は、内面１１４の近位部分１１４ａと係合している。特に、ナットプレート１１０が、ハウジング１０２に対し、長手方向軸線Ａ１を中心とした回転を防ぐために、突起３２４−１、３２４−２、…３２４−ｎの１つまたは２つ以上が、内面１１４の近位部分１１４ａと係合している。いくつかの実施形態では、突起３２４−１、３２４−２、…３２４−ｎの１つまたは２つ以上が、近位部分１１４ａの半径方向に延びる範囲と、近位部分１１４ａの軸線方向に延びる範囲と係合している。
【００３８】
第２シール部材１１２−２は、ハウジング１０２の近位部分１１４ａと密閉係合し、ハウジング１０２は、ナットプレート１１０に固定されている。例えば、いくつかの実施形態では、ハウジング１０２の近位部分１１４ａを、近位部分１１４ａの一部が長手方向軸線Ａ１を横切る方向に延びるまで、曲げる、及び／または折りたたむ工程を有している。この点について、この方法は、ハウジング１０２の近位部分１１４ａを、近位部分１１４ａの全体が長手方向軸線Ａ１に沿って（例えば、これと平行に）延びる第１配向（例えば、図３）から、近位部分１１４ａの一部が長手方向軸線Ａ１に対し、ほぼ直交する方向に延びる第２配向（例えば、図１Ａ−２）に向かって折りたたむ工程を有している。例えば、この方法は、近位部分１１４ａを、内面１１４の近位部分１１４ａがナットプレート１１０の下端３０４と係合するまで、折りたたむ工程を有している。特に、ハウジング１０２の近位部分１１４ａは、ナットプレート１１０の下端３０４の外側部分３０４ａと係合するように、半径方向内方にクリンプされている。この点について、内面１１４の近位部分１１４ａは、更に、ナットプレート１１０と、フィルタエレメント１０４と、近位側エンドキャップ１０６と遠位側のエンドキャップ１０８とに、ハウジング１０２に対し、固定されている。この点について、図１Ｂに図示されるとおり、近位部分１１４ａは、ナットプレート１１０の下端３０４と係合し、これに力Ｆをかけている。力Ｆの軸線方向への成分は、ナットプレート１１０によって、近位側エンドキャップ１０６と、ハウジング１０２の表面１１４の中間部分１１４ｃとに伝達される。
【００３９】
多くの実施形態について説明してきた。それでも、やはり、本開示の思想と開示範囲から外れることなく、多様な変更がなされることは理解されるだろう。したがって、他の実施形態は次に述べる請求項の範囲内に収まる。
【００４０】
本文書で用いられている用語は、特定の例示的構造を説明するだけのものであり、構造の制限を意図したものではない。本文書で使われているように、複数形でない名詞は、文脈が明確に指し示す場合を除いて、複数形を含める意図もある。「備える」、「含む」、「有する」という用語は、包括的であり、したがって、本開示の特徴、手順、操作、要素、及び／または成分を具体的に挙げているが、１つまたは２つ以上の他の特徴、手順、操作、要素、及び／またはグループそのもの、またはその追加を妨げるものではない。本文書で説明されるその方法のステップと、過程と、操作とは、実行順序が明確に指し示されない限り、文中で取り扱った、あるいは図示された特定の順序で、実行する必要があると必ずしも解釈されるものではない。追加、または代替手順を採用してもよい。
【００４１】
要素または層が、他の要素または層に対し、「〜上」、「〜と係合」、「〜に接続」、「〜に取り付けられている」、あるいは「〜と連結」と記載されたときは、それらは、他の層に直接、係合または、接続または、取り付けまたは、連結されている、あるいは、中間要素または中間層が存在してもよい。それに対し、要素が、他の要素または層に対し、「〜上直接」、「〜と直接係合」、「〜に直接接続」、「〜に直接取り付けられている」、あるいは「〜と直接連結」と記載されたときは、中間要素または中間層は存在しない。要素間の関係を説明するために使われる他の言葉は、（例えば、「〜間」と「〜間直接」、「〜と隣接した」と「〜と直接隣接した」など）のように解釈すべきである。文書中で用いられる「及び／または」という用語は、１つまたは２つ以上の関連した表に記載された項目の、いずれの及び全ての、組合せを含んでいる。
【００４２】
第１、第２、第３の、などの用語は、多様な要素、成分、範囲、層、及び／または切断面を説明するために、本文書で用いられている。これらの要素、成分、範囲、層及び／または切断面は、これらの用語によって制限されるべきではない。これらの用語は、ある要素、成分、範囲、層及び／または切断面を、他の範囲、あるいは層または切断面と区別するためだけに用いられている。「第１」と、「第２」と、他のものを数える用語とは、文脈で明確に指し示さない限り、連続順または順序を意図するものではない。したがって、以下で取り扱われる第１の要素、成分、部位、層、及び／または切断面は、実施例の教義から外れることなく、第２の要素、成分、部位、層、及び／または切断面と称されうる。
【図１Ａ】
2020521629.tif 000003
【図１Ｂ】
2020521629.tif 000004
【図２】
2020521629.tif 000005
【図３】
2020521629.tif 000006
【国際調査報告】
2020521629.tif 000007
2020521629.tif 000008